(57)【特許請求の範囲】
【請求項１】
原稿面の画像を表す画像データを入力する画像入力手段；
前記画像入力手段の入力した画像データが表わす原稿面の画像の背景領域を検出する領域検出手段；
所定のキャラクタパターンを表し該キャラクタパターン上の位置に対応して表色が異なるカラー画像データを生成する付加パターン生成手段；
前記画像入力手段の入力した画像データが表わす原稿面の画像の、前記領域検出手段が検出した背景領域に、前記付加パターン生成手段が生成した画像データを加えて前記原稿面の画像に前記キャラクタパターンを合成した画像を表わす合成画像データを生成する画像合成手段；及び、
該合成画像データが表わす画像を２次元面上に形成するカラー画像形成手段；
を備えるカラー画像出力装置。
【請求項２】
原稿面の画像を表す画像データを入力する画像入力手段；
前記画像入力手段の入力した画像データが表わす原稿面の画像の背景領域を検出する領域検出手段；
所定のキャラクタパターンを表す画像データを生成する付加パターン生成手段；
前記画像入力手段の入力した画像データが表わす原稿面の画像の、前記領域検出手段が検出した背景領域に、前記付加パターン生成手段が生成した画像データを加えて前記原稿面の画像に前記キャラクタパターンを合成した画像を表わす合成画像データを生成する画像合成手段；及び、
該合成画像データが表わす画像を２次元面上に形成するカラー画像形成手段；を備え、
前記付加パターン生成手段が、前記画像入力手段の入力した画像データが表わす原稿面上のキャラクタパターンの位置に対応して表色が異なるカラー画像データを生成する；
カラー画像出力装置。
【請求項３】
前記付加パターン生成手段が生成するカラー画像データは、Ｒ，Ｇ，Ｂ，Ｃ，Ｍ，Ｙ等の基本色の各々の階調レベルを示す複数のカラー成分データの組合せでなり、前記付加パターン生成手段は、少なくとも１つのカラー成分データの階調レベルの変更により表色を変える、請求項１又は請求項２に記載のカラー画像出力装置。
【請求項４】
前記付加パターン生成手段は、２次元入力画像の一方の次元の方向の位置の推移に従って所定順にカラー画像データの表色を変更する、請求項１，請求項２又は請求項３に記載のカラー画像出力装置。
【発明の詳細な説明】
【０００１】
【産業上の利用分野】
本発明はカラー画像出力装置に関し、例えばデジタルカラー複写機やファイリングシステムで利用しうる。
【０００２】
【従来の技術】
企業や公的機関においては、機密書類を厳重に管理しているが、時には機密書類が外部に持ち出され情報が漏洩する場合がある。特に、会議等の際に配布された機密書類がコピーされて外部に持ち出されるケースが多い。このような場合の対策としては、まず漏洩元、即ち漏洩者を明らかにすることが必要である。そこで従来より、会議等で機密書類を配布する場合には、予め専用の画像合成装置を用いて各々の機密書類に互いに異なるマーク（例えばシリアル番号）を付加するマーキング処理を実施している。
【０００３】
【発明が解決しようとする課題】
従来のマーキング処理では、書類に付加するマークの色は一色のみであり、原稿画像との識別を容易にするために原稿画像色と異なる色が用いられる場合が多い。ところが最近のデジタルカラー複写機の中には、特定の色をオペレータが指定して、指定色の画像情報をコピー画像から消去できる機能を備えるものがある。従ってこの種のデジタルカラー複写機を用い、原稿に付加されたマークの色を指定してそれを消去するモードを選択しコピーした場合、マークの存在しない、即ち漏洩元が識別不可能なコピーができてしまう。
【０００４】
従って本発明は、デジタルカラー複写機が利用される場合でも付加された機密保持マークの消去を困難にし、機密保持の信頼性を高めることを課題とする。
【０００５】
【課題を解決するための手段】
上記課題を解決する第１番の発明のカラー画像出力装置は、原稿面の画像を表す画像データを入力する画像入力手段；
前記画像入力手段の入力した画像データが表わす原稿面の画像の背景領域を検出する領域検出手段；
所定のキャラクタパターンを表し該キャラクタパターン上の位置に対応して表色が異なるカラー画像データを生成する付加パターン生成手段；
前記画像入力手段の入力した画像データが表わす原稿面の画像の、前記領域検出手段が検出した背景領域に、前記付加パターン生成手段が生成した画像データを加えて前記原稿面の画像に前記キャラクタパターンを合成した画像を表わす合成画像データを生成する画像合成手段；及び、
該合成画像データが表わす画像を２次元面上に形成するカラー画像形成手段；
を備える。
【０００６】
第２番の発明のカラー画像出力装置は、原稿面の画像を表す画像データを入力する画像入力手段；
前記画像入力手段の入力した画像データが表わす原稿面の画像の背景領域を検出する領域検出手段；
所定のキャラクタパターンを表す画像データを生成する付加パターン生成手段；
前記画像入力手段の入力した画像データが表わす原稿面の画像の、前記領域検出手段が検出した背景領域に、前記付加パターン生成手段が生成した画像データを加えて前記原稿面の画像に前記キャラクタパターンを合成した画像を表わす合成画像データを生成する画像合成手段；及び、
該合成画像データが表わす画像を２次元面上に形成するカラー画像形成手段；を備え、
前記付加パターン生成手段が、前記画像入力手段の入力した画像データが表わす原稿面上のキャラクタパターンの位置に対応して表色が異なるカラー画像データを生成する。
【０００７】
【作用】
本発明においては、例えばイメージスキャナや画像ファイル装置から入力される画像に所定のキャラクタパターン情報が付加されて例えばカラープリンタによりハードコピーとしてあるいはカラーファイル装置にカラー画像ファイルとして出力される。第１番の発明によれば、入力される画像に付加されるキャラクタパターンの色が、該パターン上の位置の違い又は入力画像上の位置の違いに対応して自動的に変更されるので、カラー出力画像情報上に現われるキャラクタパターン情報は、例えばＲ（レッド），Ｇ（グリーン），Ｂ（ブルー），Ｃ（シアン），Ｍ（マゼンタ），Ｙ（イエロー）などの複数種類の色によって構成され、位置によって異なる色になる。従って、カラー出力画像情報（例えば配布される書類）から、デジタルカラー複写機を用いて付加されたキャラクタパターン情報、即ちマークを消去しようとしても、消去色の指定とコピー操作を何回も繰り返さざるを得ず、マークの消去は困難である。
【０００８】
また第２番の発明によれば、キャラクタパターン情報は例えばＣ，Ｍ，Ｙ（又はＲ，Ｇ，Ｂ）等の基本色の各階調レベルを示す情報の組合せであり、少なくとも１つの基本色の階調レベルが、キャラクタパターン上の位置の違い又は入力画像上の位置の違いに対応して自動的に変更される。各基本色の階調レベルを変更することによって、キャラクタパターン全体の色（色相）が変化する。従ってカラー出力画像情報上に現われるキャラクタパターン情報は、位置によって異なる色になるので、カラー出力画像情報から、デジタルカラー複写機を用いて付加されたキャラクタパターン情報、即ちマークを消去しようとしても、消去色の指定とコピー操作を何回も繰り返さざるを得ず、マークの消去は困難である。
【０００９】
【実施例】
図７に本発明を実施する一形式の複写機の機構部の構成を示す。この複写機は、デジタルカラー複写機である。図７を参照すると、この複写機は上方に配置されたイメージスキャナ１００とその下方に配置されたプリンタ２００を含んでいる。イメージスキャナ１００の画像読取面には、原稿台として機能する透明なコンタクトガラス１が設けられており、その上方には開閉自在な圧板５０が配置されている。圧板５０の内側の面、つまり原稿背面と対向する部分は白色になっている。コンタクトガラス１の下方には、光学走査系が設けられている。この光学走査系には、露光ランプ２及びミラー３を含む第１キャリッジ，ミラー４及び５を含む第２キャリッジ，及びレンズ６とイメージセンサ７を含む受光ユニットが備わっており、第１キャリッジ及び第２キャリッジは副走査のためにそれぞれ図面の左右方向に機械的に駆動される。露光ランプ２から出た光は、原稿面又は圧板５０内側の面で反射し、その反射光がミラー３，４，５及びレンズ６を通ってイメージセンサ７に入射する。この例では、イメージセンサ７は分光器と３つの一次元ＣＣＤイメージセンサを備えており、入射する光をＲ（レッド），Ｇ（グリーン）及びＢ（ブルー）の３原色に分光し、各波長領域の光を各々独立したＣＣＤイメージセンサで画素単位に検出する。
【００１０】
イメージスキャナ１００によって読取られた画像情報は、所定の画像処理を施された後、プリンタ２００に入力されコピー画像を形成する。なおこの例では、イメージスキャナ１００はカラー画像再現のために１つのコピーサイクルあたり４回の画像読取りを行ない、プリンタ２００はＣ（シアン），Ｍ（マゼンタ）及びＹ（イエロー）及びＢＫ（ブラック）の各色の記録を順次に行ないフルカラー画像を再現する。プリンタ２００の画像書込ユニットには、レーザ光源９，ポリゴンミラースキャナ１０，ｆθレンズ１１，ミラー１２，及び防塵ガラス４５が設けられている。レーザ光源９からは記録すべき画像の各画素の記録／非記録に対応する二値信号で変調されたレーザ光が発射され、このレーザ光がポリゴンミラースキャナ１０で反射し、ｆθレンズ１１，ミラー１２及び防塵ガラス４５を通って感光体ドラム８の表面に結像される。
【００１１】
感光体ドラム８の周辺には、クリーニングユニット４２，除電ランプ４３，メインチャージャ４４，現像ユニット１４，転写ベルト１５，転写チャージャ１６等が設けられている。感光体ドラム８の表面は、まずメインチャージャ４４によって均一に所定の高電位に帯電する。この面に画像に対応するレーザ光が照射されると、表面電位が変化し、画像つまりレーザ光のオン／オフに応じて電位分布が形成される。この電位分布、即ち静電潜像が現像ユニット１４を通ると、４つある現像器１３Ｃ，１３Ｍ，１３Ｙ及び１３Ｂのうち選択されたものが保持する色のトナーが電位の高低に応じて付着し、可視像が形成される。感光体ドラム８上に形成された可視像、つまりトナー像は、転写チャージャ１６によって転写ベルト１５上に転写される。４回の画像形成によって、転写ベルト１５上にはＣ，Ｍ，Ｙ及びＢＫの４色のトナー像が重なって形成される。更に、給紙カセット１７又は１８から給紙される転写紙が、レジストローラ２２を介して転写ベルト１５上に送り込まれ、転写ベルト１５上のトナー像は転写チャージャ２３，２４によって転写紙に転写する。トナー像が転写された転写紙は、分離チャージャ２５によって転写ベルト１５から分離され、定着ローラ２６を通ってトナー像を定着した後、排紙経路へ向かう。
【００１２】
図７の装置の電装部の構成を図４に示す。図４を参照するとこの装置にはイメージスキャナ１００とカラープリンタ２００の他に、第１γ補正回路３１０，遅延回路３２０，マスキング回路３３０，第２γ補正回路３４０，マーク領域検出回路３５０，マーク情報合成回路３６０及びマーク情報生成回路３７０を含む画像処理ユニットが備わっている。第１γ補正回路３１０は、イメージスキャナ１００が出力する入力画像情報のグレーバランスを補正する。遅延回路３２０は、マーク領域検出回路３５０における検出の遅れに対して画像情報のタイミングを合わせるために画像情報の出力を遅らせる。マスキング回路３３０はＲ，Ｇ，Ｂの３色のカラー画像情報を、Ｃ，Ｍ，Ｙ及びＢＫ（ブラック）の４色のカラー画像情報に変換する。第２γ補正回路３４０は、カラープリンタ２００の記録特性に応じた階調補正を実施する。
【００１３】
なおこの例では、イメージスキャナ１００が出力する各色画像情報（Ｒ，Ｇ，Ｂ），第１γ補正回路３１０が出力する各色画像情報（Ｒ，Ｇ，Ｂ），遅延回路３２０が出力する各色画像情報（Ｒ，Ｇ，Ｂ），マスキング回路３３０が出力する各色画像情報（Ｃ，Ｍ，Ｙ，ＢＫ），マーク情報合成回路３６０が出力する各色画像情報（Ｃ，Ｍ，Ｙ，ＢＫ），及び第２γ補正回路３４０が出力する各色画像情報（Ｃ，Ｍ，Ｙ，ＢＫ）は、それぞれ８ビットの階調データである。
【００１４】
マーク領域検出回路３５０は、機密保持のための付加情報（マーク）を付加すべき領域か否かを識別する回路であり、この例では画像の背景領域か否かを検出している。具体的には、マーク領域検出回路３５０は図３に示す構成になっている。即ち、カラー原稿であっても、画像中の文字領域の背景は、印刷ではインク、複写機ではトナーの消費を抑えるために非記録領域とされ、紙の下地が露出しているのが一般的であり、紙自体が一般に白いので、マーク領域検出回路３５０は画像情報の色が白か否かを検出している。
【００１５】
図３を参照すると、比較器３５１は、画像のＲ色情報の階調レベル（Ａ）と固定しきい値ＴＨＲ（Ｂ）とを比較し、Ａ＞Ｂであると高レベルＨを、そうでないと低レベルＬを出力する。同様に比較器３５２は、画像のＧ色情報の階調レベル（Ａ）と固定しきい値ＴＨＧ（Ｂ）とを比較し、Ａ＞ＢであるとＨを、そうでないとＬを出力する。比較器３５３は、画像のＢ色情報の階調レベル（Ａ）と固定しきい値ＴＨＢ（Ｂ）とを比較し、Ａ＞ＢであるとＨを、そうでないとＬを出力する。アンドゲート３５４から出力される検出信号ＧＴａは、比較器３５１，３５２及び３５３の全ての出力がＨである時、つまりＲ，Ｇ，Ｂの全ての階調が比較的高い（白色に近い：背景）時にＨになり、そうでない時にＬになる。
【００１６】
マーク情報生成回路３７０は、付加情報である所定のキャラクタパターンを所定のタイミングでマーク情報合成回路３６０に出力する。マーク情報合成回路３６０は、マーク情報生成回路３７０が出力する付加情報をマスキング回路３３０が出力する入力画像情報に付加した合成画像情報を第２γ補正回路３４０に出力する。
【００１７】
画像合成の例を図６に示す。図６を参照するとこの例では、文章が書かれた原稿の画像と、所定間隔毎に生成した「１」のキャラクタパターン情報、つまり付加情報（マーク）とを合成しコピー画像を生成している。なお図６の例では原稿の画像（文章）と付加情報の「１」とが重なっている部分が存在し内容が見にくくなっているが、この実施例ではマーク領域検出回路３５０が背景領域を検出している時だけ付加情報が合成されるので、重なりは実際には生じない。
【００１８】
マーク情報生成回路３７０の構成を図１に示す。ＲＯＭ３７８は、キャラクタジェネレータであり、この例では数字，英字，英記号等で構成される６４種類のキャラクタについて、各パターンの画素構成の情報を色情報とともに保持している。各画素の情報はＹｐ，Ｍｐ，Ｃｐ及びＢＫｐの４ビットで構成されており、Ｙｐ，Ｍｐ，Ｃｐ及びＢＫｐの各ビットは、それぞれＹ色，Ｍ色，Ｃ色及びＢＫ色の記録／非記録を示している。
【００１９】
パターン「１」に関するＲＯＭ３７８内の情報の構成を図５に示す。図５を参照すると、このパターン情報はＲ，Ｇ，Ｂ，Ｃ，Ｍ，Ｙ，ＢＫ及びＷ（白）の８種類の色情報で構成されており、パターンの本体は上下方向に複数の領域に区分され、上の領域から順番にＲ，Ｙ，Ｇ，Ｍ，Ｂ，Ｃ，Ｒ及びＹの各色が割り当てられ、パターンの輪郭部分にはＢＫ色が割り当てられ、背景にＷ色が割り当てられている。つまり、１つのキャラクタパターンを構成する複数のパターン領域が互いに異なる複数種類の色で記録される。
【００２０】
従って、図６に示すようなコピー画像から付加情報（「１」のマーク）を指定色を消去しうる特別なデジタル複写機を利用して消去しようとしても、Ｃ，Ｍ，Ｙ，Ｒ，Ｇ，Ｂ及びＢＫ色の全てを繰り返し指定して消去しなければ付加情報を完全に消去することはできず、またパターンの微小領域毎に色が変化しているので、どの色を指定すれば付加情報を消去できるのかを判断するのは難しく、付加情報の消去は極めて困難である。
【００２１】
図５において、Ｃｘ及びＣｙはそれぞれ主走査方向及び副走査方向の画素位置を示し、ｓｉｚｅＸは主走査方向の画素数、ｓｉｚｅＹは副走査方向の画素数を示している。ＲＯＭ３７８においてキャラクタコードがＮのキャラクタの任意の画素座標位置（Ｃｘ，Ｃｙ）の情報は、Ｎ×ｓｉｚｅＸ×ｓｉｚｅＹ＋Ｃｙ×ｓｉｚｅＸ＋Ｃｘで計算されるアドレスに記憶されている。
【００２２】
再び図１を参照すると、ＲＯＭ３７８のアドレス端子グループＡＡにはカウンタ３７１の出力するｘ座標情報Ｃｘが印加され、アドレス端子グループＡＢにはカウンタ３７４の出力するｙ座標情報Ｃｙが印加され、アドレス端子グループＡＣにはカウンタ３７９の出力するキャラクタコードが印加される。カウンタ３７１は、主走査方向の各画素毎のタイミングで現われる画素クロックパルスを計数し、主走査方向の走査画素位置をＣｘとして出力し、カウンタ３７４は主走査の１ライン毎に現われるライン同期信号Ｌｓｙｎｃの数を計数し、副走査方向の走査画素位置をＣｙとして出力する。
【００２３】
カウンタ３７９は、予め定めたプリセットデータをコピースタート信号に同期してロード（プリセット）し、スキャナスタート信号のパルスを計数する。例えば、１０，１１，１２，１３，１４，１５，１６，１７，１８及び１９番目のキャラクタコードのアドレス領域に、それぞれ「０」，「１」，「２」，「３」，「４」，「５」，「６」，「７」，「８」及び「９」のキャラクタパターンが登録されている時に、プリセットデータとして１０をセットすると、スキャナスタート信号が出る毎に、カウンタ３７９の計数値が１１，１２，１３，１４，１５，・・・と変化し、それぞれ「１」，「２」，「３」，「４」，「５」・・・のキャラクタパターンを選択することになり、１枚目，２枚目，３枚目，４枚目，・・のコピー画像上に、それぞれ「１」，「２」，「３」，「４」，・・のキャラクタパターンが現われる。
【００２４】
カウンタ３７２は、カウンタ３７１が端子ＣＹから出力するキャリー信号のパルスを計数し、付加情報の出力間隔ＳＸ（図６参照）毎にキャリー信号を端子ＣＹから出力する。ＲーＳフリップフロップ３７３は、カウンタ３７２が出力するキャリー信号によりセットされ、カウンタ３７１が出力するキャリー信号によりリセットされる。カウンタ３７５は、カウンタ３７４が端子ＣＹから出力するキャリー信号のパルスを計数し、付加情報の出力間隔ＳＹ（図６参照）毎にキャリー信号を端子ＣＹから出力する。ＲーＳフリップフロップ３７６は、カウンタ３７５が出力するキャリー信号によりセットされ、カウンタ３７４が出力するキャリー信号によりリセットされる。従って、フリップフロップ３７３の出力は、ＳＸの周期でｓｉｚｅＸの期間だけＨになり、フリップフロップ３７６の出力は、ＳＹの周期でｓｉｚｅＹの期間だけＨになる。アンドゲート３７７から出力されるキャラクタ領域信号ＧＴｃは、フリップフロップ３７３及び３７６の出力が共にＨの時にＨになり、それ以外の時はＬになる。つまり図６に示す付加情報のように、各キャラクタ「１」を出力すべきタイミングでのみキャラクタ領域信号ＧＴｃがＨになる。
【００２５】
マーク情報合成回路３６０の構成を図２に示す。図２を参照して説明する。アンドゲート３６９の入力には、検出信号ＧＴａ及びキャラクタ領域信号ＧＴｃが印加され、それらの論理積がデータセレクタ３６２，３６４，３６６及び３６８の選択端子（Ｓ）に印加される。検出信号ＧＴａ及びキャラクタ領域信号ＧＴｃの少なくとも一方がＬである時には、データセレクタ３６２，３６４，３６６及び３６８は各々の入力端子Ａを選択し、画像データ（Ｙ，Ｍ，Ｃ及びＢＫ）をそのまま出力する。検出信号ＧＴａ及びキャラクタ領域信号ＧＴｃが共にＨである時には、データセレクタ３６２，３６４，３６６及び３６８は各々の入力端子Ｂを選択し、前段のデータセレクタ３６１，３６３，３６５及び３６７から出力される信号を出力する。
【００２６】
データセレクタ３６１は、ＲＯＭ３７８から出力される付加情報信号ＹｐがＨの時には入力端子Ａグループに印加される固定情報ＹＭＨを選択し、ＹｐがＬの時には入力端子Ｂグループに印加される固定情報ＹＭＬを選択し、選択した信号を出力する。同様に、データセレクタ３６３は、ＲＯＭ３７８から出力される付加情報信号ＭｐがＨの時には入力端子Ａグループに印加される固定情報ＭＭＨを選択し、ＭｐがＬの時には入力端子Ｂグループに印加される固定情報ＭＭＬを選択し、選択した信号を出力する。データセレクタ３６５は、ＲＯＭ３７８から出力される付加情報信号ＣｐがＨの時には入力端子Ａグループに印加される固定情報ＣＭＨを選択し、ＣｐがＬの時には入力端子Ｂグループに印加される固定情報ＣＭＬを選択し、選択した信号を出力する。データセレクタ３６７は、ＲＯＭ３７８から出力される付加情報信号ＢＫｐがＨの時には入力端子Ａグループに印加される固定情報ＢｋＭＨを選択し、ＢＫｐがＬの時には入力端子Ｂグループに印加される固定情報ＢｋＭＬを選択し、選択した信号を出力する。
【００２７】
固定情報ＹＭＨ，ＭＭＨ，ＣＭＨ及びＢｋＭＨは付加情報信号Ｙｐ，Ｍｐ，Ｃｐ及びＢＫｐが記録レベルＨの時の階調レベルであり、例えば１２８の値に設定される。また固定情報ＹＭＬ，ＭＭＬ，ＣＭＬ及びＢｋＭＬは付加情報信号Ｙｐ，Ｍｐ，Ｃｐ及びＢＫｐが非記録レベルＬの時の階調レベルであり、例えば０の値に設定される。
【００２８】
つまり、入力画像の背景領域が検出され（ＧＴａ＝Ｈ）、付加情報を出力すべきタイミングであると（ＧＴｃ＝Ｈ）、各付加情報信号Ｙｐ，Ｍｐ，Ｃｐ及びＢＫｐが記録レベルＨの時には記録レベルの階調値（例えば１２８）が、付加情報信号Ｙｐ，Ｍｐ，Ｃｐ及びＢＫｐが非記録レベルＬの時には非記録レベルの階調値（例えば０）が画像データに代わってそれぞれＹ出力，Ｍ出力，Ｃ出力及びＢＫ出力に現われる。
【００２９】
図８に、マーク情報生成回路の１つの変形実施例を示す。図８を参照すると、この例ではＲＯＭ３７８Ｂは各キャラクタのパターン情報のみを保持しており、色情報は別の回路で生成するように変更されている。またＲＯＭ３７８Ｂは８ビットの並列データを同時に出力するように変更されている。シフトレジスタ４０３は、キャリー信号ＣＹ１に同期してＲＯＭ３７８Ｂの出力する８ビットデータをロードし、画素クロックに同期して１ビットずつキャラクタパターン情報Ｐとして出力する。新しく設けられたＲＯＭ４０１は、色情報の変換テーブルであり、カウンタ３７１の出力する主走査方向画素座標Ｃｘを、４ビットの色情報（図５の内容と同様）に変換する。ＲＯＭ４０１から出力される４ビットの色情報は、ゲート回路４０２を通って各色の付加情報信号Ｙｐ，Ｍｐ，Ｃｐ及びＢＫｐになる。ゲート回路４０２は、キャラクタパターン情報ＰがＨの時は入力の色情報をそのまま通し、キャラクタパターン情報ＰがＬの時はＹｐ，Ｍｐ，Ｃｐ及びＢＫｐを全てＬにする。これ以外の構成は前記実施例と同様である。
【００３０】
この実施例では、出力される付加情報の画素パターンは前記実施例と同様であるが、付加情報の色は、主走査方向の画素座標Ｃｘに対応して横方向にＲ，Ｙ，Ｇ，Ｍ，Ｂ，Ｃ，Ｒ，Ｙ，・・と順番に変化し、縦方向の色の変化はなく、輪郭にも特別な色の変化は生じない。必要とされるＲＯＭ（キャラクタジェネレータ）の記憶容量が前記実施例の１／４に低減されている。
【００３１】
図９に、マーク情報生成回路のもう１つの変形実施例を示す。この実施例においては、ＲＯＭ４０１の入力（アドレス端子）に印加される信号が、副走査方向の座標Ｃｙに変更されているが、その他の構成は図８と同一である。従って、この実施例では、出力される付加情報の画素パターンは前記実施例と同様であるが、付加情報の色は、副走査方向の画素座標Ｃｙに対応して縦方向にＲ，Ｙ，Ｇ，Ｍ，Ｂ，Ｃ，Ｒ，Ｙ，・・と順番に変化し、横方向の色の変化はなく、輪郭にも特別な色の変化は生じない。
【００３２】
図１０に、マーク情報生成回路のもう１つの変形実施例を示す。この実施例においては、ＲＯＭ４０１の入力に印加される信号Ｃｘ２は、新しく設けられたカウンタ４０４から出力される。カウンタ４０４は、カウンタ３７２が出力するキャリー信号ＣＹ２を計数する。それ以外の構成は上記実施例と同様である。つまりカウンタ３７２は、主走査方向のキャラクタパターンを出力する周期ＳＸ毎にキャリー信号を出力するので、その度にカウンタ４０４の計数値Ｃｘ２が更新され、色情報が変化する。従ってこの実施例では、付加情報の各々のキャラクタの中では色の変化が生じることはないが、キャラクタを出力する度にその色がＲ，Ｙ，Ｇ，Ｍ，Ｂ，Ｃ，Ｒ，Ｙ，・・と順番に変化する。
【００３３】
図１１に、マーク情報生成回路のもう１つの変形実施例を示す。この実施例においては、ＲＯＭ４０１の入力に印加される信号ＣｙＢはカウンタ４０４Ｂから出力される。カウンタ４０４Ｂは、カウンタ３７５が出力するキャリー信号ＣＹ３を計数する。カウンタ３７５は、副走査方向のキャラクタパターンを出力する周期ＳＹ毎にキャリー信号を出力するので、その度にカウンタ４０４Ｂの計数値ＣｙＢが更新され、色情報が変化する。従ってこの実施例では、付加情報の各々のキャラクタの中では色の変化が生じることはなく、キャラクタを出力する行が改行される度にその色がＲ，Ｙ，Ｇ，Ｍ，Ｂ，Ｃ，Ｒ，Ｙ，・・と順番に変化する。
【００３４】
次に別の実施例を説明する。この実施例では、マーク情報生成回路の構成が図１２に示すように変更され、図１３に示す階調変更回路４２０が新しく追加されている。図１２を参照すると、マーク情報生成回路においては、シフトレジスタ４０３によって出力されるキャラクタパターン情報Ｐが、そのまま各付加情報信号Ｙｐ，Ｍｐ，Ｃｐ，ＢＫｐとして出力されるように変更されている。図１３に示す階調変更回路４２０は、マーク情報合成回路３６０に印加されるＹＭＨ，ＭＭＨ及びＣＭＨを生成する。３組のデータセレクタ４２２，４２３及び４２４の入力端子には、互いに階調レベルの異なる固定値Ｌ１，Ｌ２及びＬ３が印加される。Ｌ１はデータセレクタ４２２の入力端子Ａ，４２３の入力端子Ｂ及び４２４の入力端子Ｃに印加され、Ｌ２はデータセレクタ４２２の入力端子Ｂ，４２３の入力端子Ｃ及び４２４の入力端子Ａに印加され、Ｌ３はデータセレクタ４２２の入力端子Ｃ，４２３の入力端子Ａ及び４２４の入力端子Ｂに印加される。
【００３５】
データセレクタ４２２，４２３及び４２４の選択制御端子Ｓには、カウンタ４２１の出力信号が共通に印加される。カウンタ４２１はこの実施例では各画素に同期したクロックパルスを計数するが、ライン同期信号Ｌｓｙｎｃ，前述のキャリー信号ＣＹ２及びＣＹ３のいずれかに変更してもよい。カウンタ４２１は３進カウンタであり、その計数値は０，１，２，０，１，・・と変化する。データセレクタ４２２，４２３及び４２４は、カウンタ４２１の計数値が０の時には入力端子グループのＡを選択し、計数値が１の時には入力端子グループのＢを選択し、計数値が２の時には入力端子グループのＣを選択する。つまり、各データセレクタは、カウンタ４２１の計数値が０の時にはＬ１をＹＭＨ、Ｌ３をＭＭＨ、Ｌ２をＣＭＨとしてそれぞれ出力し、カウンタ４２１の計数値が１の時にはＬ２をＹＭＨ、Ｌ１をＭＭＨ、Ｌ３をＣＭＨとしてそれぞれ出力し、カウンタ４２１の計数値が２の時にはＬ３をＹＭＨ、Ｌ２をＭＭＨ、Ｌ１をＣＭＨとしてそれぞれ出力する。
【００３６】
従って、ＹＭＨ，ＭＭＨ及びＣＭＨの各階調レベルは、主走査方向の１画素毎にＬ１，Ｌ２，Ｌ３，・・・と順番に変化する。また、ＹＭＨ，ＭＭＨ及びＣＭＨの階調レベルは、常に異なる値になるので、Ｙ，Ｍ及びＣ色の階調レベルの比が主走査方向の１画素毎に変化することになり、ＹＭＨ，ＭＭＨ及びＣＭＨの合成色の色相、つまり付加情報の色相は１画素毎に変化し、３種類の色相の組合せによって付加情報が出力される。
【００３７】
この装置によって原稿画像と付加情報とが合成されたコピー画像から付加情報を完全に消去するためには、消去色の指定とコピー動作を少なくとも３回繰り返す必要があり、しかも実際にはコピー上の付加情報の色をオペレータが正確に識別するのは困難であるので、消去色を正確に指定するのは極めて難しく付加情報の完全な消去は実質上不可能である。
【００３８】
変形実施例の階調変更回路４３０の構成を図１４に示す。図１４を参照すると、この階調変更回路４３０は３組のカウンタ４３２，４３３及び４３４で構成されている。カウンタ４３２，４３３及び４３４の各プリセット入力端子には、それぞれオフセットデータＯＦ１，ＯＦ２及びＯＦ３が印加される。オフセットデータＯＦ１，ＯＦ２及びＯＦ３は互いに異なる階調レベルに設定されており、フレーム同期信号に同期して、即ち画像処理開始時に各カウンタにロード（プリセット）される。カウンタ４３２，４３３及び４３４は、この実施例では各画素に同期したクロックパルスを計数するが、ライン同期信号Ｌｓｙｎｃ，前述のキャリー信号ＣＹ２及びＣＹ３のいずれかに変更してもよい。
【００３９】
カウンタ４３２が出力する信号ＹＭＨの階調は、プリセット値ＯＦ１から始まり、主走査方向の１画素毎に＋１変化し、最大値になると０に戻って再び増大する。同様にカウンタ４３３が出力する信号ＭＭＨの階調は、プリセット値ＯＦ２から始まり、主走査方向の１画素毎に＋１変化し、最大値になると０に戻って再び増大する。カウンタ４３４が出力する信号ＣＭＨの階調は、プリセット値ＯＦ３から始まり、主走査方向の１画素毎に＋１変化し、最大値になると０に戻って再び増大する。つまり、この階調変更回路４３０から出力される信号ＹＭＨ，ＭＭＨ及びＣＭＨは、それぞれ主走査方向の１画素毎に少しずつ変化する。またＹＭＨ，ＭＭＨ及びＣＭＨの初期値（ＯＦ１，ＯＦ２，ＯＦ３）が互いに異なるので、Ｙ，Ｍ及びＣ色の階調レベルの比、即ち付加情報の色相が主走査方向の１画素毎に少しずつ変化する。
【００４０】
この装置によって原稿画像と付加情報とが合成されたコピー画像から付加情報を完全に消去するためには、消去色の指定とコピー動作を何回となく繰り返す必要があり、しかも実際にはコピー上の付加情報の色をオペレータが正確に識別するのは困難であるので、消去色を正確に指定するのは極めて難しく付加情報の完全な消去は実質上不可能である。
【００４１】
なお図１３及び図１４に示す階調変更回路ではＹ，Ｍ，Ｃの全色について階調レベルを変更しているが、少なくとも１色について階調レベルを変更するだけでも充分に効果がある。
【００４２】
なお上記実施例においては、デジタルカラー複写機で本発明を実施した場合を説明したが、例えばワードプロセッサ，ＣＡＤシステム等で作成した画像ファイルから読み出した画像情報を入力して付加情報を合成処理するように変更してもよく、また出力画像はハードコピーとして出力せずにカラー画像情報としてフレキシブルディスクなどの磁気記録媒体上に記録して配布してもよい。
【００４３】
【発明の効果】
以上のとおり第１番の発明によれば、入力される画像に付加されるキャラクタパターンの色が、該パターン上の位置の違い又は入力画像上の位置の違いに対応して自動的に変更されるので、カラー出力画像情報上に現われるキャラクタパターン情報は、例えばＲ，Ｇ，Ｂ，Ｃ，Ｍ，Ｙなどの複数種類の色によって構成され、位置によって異なる色になる。従って、カラー出力画像情報（例えば配布される書類）から、デジタルカラー複写機を用いて付加されたキャラクタパターン情報、即ちマークを消去しようとしても、消去色の指定とコピー操作を何回も繰り返さざるを得ず、マークの消去は困難である。
【００４４】
また第２番の発明によれば、キャラクタパターン情報は例えばＣ，Ｍ，Ｙ（又はＲ，Ｇ，Ｂ）等の基本色の各階調レベルを示す情報の組合せであり、少なくとも１つの基本色の階調レベルが、キャラクタパターン上の位置の違い又は入力画像上の位置の違いに対応して自動的に変更される。各基本色の階調レベルを変更することによって、キャラクタパターン全体の色（色相）が変化する。従ってカラー出力画像情報上に現われるキャラクタパターン情報は、位置によって異なる色になるので、カラー出力画像情報から、デジタルカラー複写機を用いて付加されたキャラクタパターン情報、即ちマークを消去しようとしても、消去色の指定とコピー操作を何回も繰り返さざるを得ず、マークの消去は困難である。
【図面の簡単な説明】
【図１】図４のマーク情報生成回路を示すブロック図である。
【図２】図４のマーク情報合成回路を示すブロック図である。
【図３】図４のマーク領域検出回路を示すブロック図である。
【図４】図７の装置の電装部の構成を示すブロック図である。
【図５】図１のＲＯＭ３７８の内容の一部を示すマップである。
【図６】入力画像，付加情報及び合成画像の例を示す平面図である。
【図７】デジタルカラー複写機の機構部を示す正面図である。
【図８】マーク情報生成回路の変形例を示すブロック図である。
【図９】マーク情報生成回路の変形例を示すブロック図である。
【図１０】マーク情報生成回路の変形例を示すブロック図である。
【図１１】マーク情報生成回路の変形例を示すブロック図である。
【図１２】他の実施例のマーク情報生成回路を示すブロック図である。
【図１３】階調変更回路の構成を示すブロック図である。
【図１４】階調変更回路の変形例を示すブロック図である。
【符号の説明】
１：コンタクトガラス
２：露光ランプ    ３，４，５：ミラー
６：レンズ        ７：イメージセンサ
８：感光体ドラム  ９：レーザ光源
１０：ポリゴンミラースキャナ
１１：ｆθレンズ  １２：ミラー
１３Ｃ，１３Ｍ，１３Ｙ，１３Ｂ：現像器
１４：現像ユニット
１５：転写ベルト  １６，２３，２４：転写チャージャ
２６：定着ローラ  ４２：クリーニングユニット
４３：除電ランプ  ４４：メインチャージャ
５０：圧板        １００：イメージスキャナ
２００：プリンタ  ３１０：第１γ補正回路
３２０：遅延回路  ３３０：マスキング回路
３４０：第２γ補正回路
３５０：マーク領域検出回路
３６０：マーク情報合成回路
３７０：マーク情報生成回路
３７８，４０１：ＲＯＭ
４２０，４３０：階調変更回路
【図１】
0003578775.tif 000002
【図２】
0003578775.tif 000003
【図３】
0003578775.tif 000004
【図４】
0003578775.tif 000005
【図５】
0003578775.tif 000006
【図６】
0003578775.tif 000007
【図７】
0003578775.tif 000008
【図８】
0003578775.tif 000009
【図９】
0003578775.tif 000010
【図１０】
0003578775.tif 000011
【図１１】
0003578775.tif 000012
【図１２】
0003578775.tif 000013
【図１３】
0003578775.tif 000014
【図１４】
0003578775.tif 000015